(57)【要約】【課題】コンパクトで簡単な部品構成でありながら誤操作の少ないコントロールケーブルの締結部材を提供する。【解決手段】本発明のコントロールケーブルの締結部材は、外周に第一係止歯をもつ筒状の係止部１３を有するチューブ状のコントロールケーブル１０の係止部１３が挿入される挿入孔と、該挿入孔の奥側で該挿入孔と交差する窓孔と、を有する締結本体２０と、前記窓孔に収納され、かつ前記第一係止歯と係止する第二係止歯を有するキー部材３０と、を有するコントロールケーブルの締結部材であって、締結本体２０およびキー部材３０は、前記第一係止歯と前記第二係止歯とが係止しない状態でキー部材３０を前記窓孔に収納し、かつキー部材３０を前記窓孔に仮止めする保持部と、キー部材３０に設けられた操作部により仮止めを解除して前記第一係止歯と前記第二係止歯とを係止するロック部と、を有する。【選択図】          図１
2004353700.tif 000002
【特許請求の範囲】
【請求項１】
外周に第一係止歯をもつ筒状の係止部を有するチューブ状のコントロールケーブルの該係止部が挿入される挿入孔と、該挿入孔の奥側で該挿入孔と交差する窓孔と、を有する締結本体と、
前記窓孔に収納され、かつ前記第一係止歯と係止する第二係止歯を有するキー部材と、
を有するコントロールケーブルの締結部材であって、
前記締結本体および前記キー部材は、前記第一係止歯と前記第二係止歯とが係止しない状態で該キー部材を前記窓孔に収納し、かつ該キー部材を前記窓孔に仮止めする保持部と、前記キー部材に設けられた操作部により仮止めを解除して前記第一係止歯と前記第二係止歯とを係止するロック部と、
を有することを特徴とするコントロールケーブルの締結部材。
【請求項２】
前記保持部および前記ロック部は、前記締結本体および前記キー部材に設けられ互いに嵌合する凹部および凸部の一方および他方からなる請求項１記載のコントロールケーブルの締結部材。
【請求項３】
前記凹部および／または前記凸部は、弾性部材に設けられている請求項２記載のコントロールケーブルの締結部材。
【請求項４】
前記凹部および／または前記凸部は、断面方形状である請求項２記載のコントロールケーブルの締結部材。
【請求項５】
前記操作部は、可撓性を有する板状である請求項１記載のコントロールケーブルの締結部材。
【請求項６】
前記キー部材は、Ｕ字形状である請求項１記載のコントロールケーブルの締結部材。
【請求項７】
前記キー部材は、前記Ｕ字形状の内周面に前記第二係止歯を有する請求項６記載のコントロールケーブルの締結部材。
【請求項８】
外周に第一係止歯をもつ筒状の係止部を有するチューブ状のコントロールケーブルの該係止部が挿入される挿入孔と、該挿入孔の奥側で該挿入孔と交差する窓孔と、一方のロック部と、を有する締結本体と、
前記窓孔に収納され、かつ前記第一係止歯と係止する第二係止歯と、該一方のロック部と係止する他方のロック部と、を有するキー部材と、
を有するコントロールケーブルの締結部材であって、
前記キー部材は、前記第二係止歯を持つ挿入端部と、該挿入端部に対して揺動することにより挿入方向の長さが短縮される操作端部と、からなることを特徴とするコントロールケーブルの締結部材。
【請求項９】
前記締結本体および前記キー部材は、該キー部材を前記窓孔に仮止めする保持部を有する請求項８記載のコントロールケーブルの締結部材。
【請求項１０】
前記操作端部は、断面Ｕ字形状である請求項８または９記載のコントロールケーブルの締結部材。
【請求項１１】
前記キー部材は揺動中心軸を有し、前記操作端部は該揺動中心軸を中心とする扇形状部分を有する請求項８〜１０のいずれかに記載のコントロールケーブルの締結部材。
【請求項１２】
前記一方のロック部および前記他方のロック部は、前記操作端部および該操作端部と摺接する前記締結部材の摺接部に形成された、互いに嵌合する凹部および凸部の一方および他方である請求項８〜１１のいずれかに記載のコントロールケーブルの締結部材。
【請求項１３】
前記操作端部の凹部および／または凸部は、弾性部材に設けられている請求項１２記載のコントロールケーブルの締結部材。
【請求項１４】
前記凹部および前記凸部は、球面からなる凹凸である請求項１２または１３記載のコントロールケーブルの締結部材。
【請求項１５】
前記挿入端部は、Ｕ字形状である請求項８記載のコントロールケーブルの締結部材。
【請求項１６】
前記挿入端部は、前記Ｕ字形状の内周面に前記第二係止歯を有する請求項１５記載のコントロールケーブルの締結部材。
【請求項１７】
前記締結本体は、全体が筒状である請求項１または８記載のコントロールケーブルの締結部材。
【請求項１８】
前記締結本体の窓孔に保持される前記キー部材は、前記締結本体と一体となって全体として筒状をなす請求項１７記載のコントロールケーブルの締結部材。
【請求項１９】
前記第一係止歯は、前記係止部の外周面をリング状に一周し軸方向に延びる凹凸からなる請求項１または８記載のコントロールケーブルの締結部材。
【請求項２０】
前記係止部は、該係止部の中央部に形成され端部よりも縮径された縮径部と、該縮径部の外周面に形成されたゴム製の防振部と、を有し、前記第一係止歯は、該防振部の外周面をリング状に一周し軸方向に延びる樹脂製の凹凸からなる請求項１または８記載のコントロールケーブルの締結部材。
【発明の詳細な説明】
【０００１】
【発明の属する技術分野】
本発明は、コントロールケーブルの締結部材に関するものであり、特に、コントロールケーブルの長さを調節することができる締結部材に関する。
【０００２】
【従来の技術】
アウターケーブルとアウターケーブルに摺動自在に挿入されたインナーケーブルとからなるコントロールケーブルは、例えば、自動車などのトランスミッション、アクセル、スロットル、クラッチ、ブレーキ、また、ウィンドウレギュレータ等の操作に用いられている。
【０００３】
例えば、上記の各種装置にコントロールケーブルを用いる場合、アウターケーブルは支持構造体に固定され、そのアウターケーブルに挿入されたインナーケーブルは一端を従動側装置（例えばアクセルペダル）に他端を駆動側装置（例えばスロットル）に固定される。したがって、コントロールケーブルを各種装置に設置する際には、コントロールケーブルの長さを調節することにより、取り付ける必要がある。
【０００４】
コントロールケーブルの長さを調節できる装置を開示する文献に、特許文献１がある。特許文献１の装置は、コントロールケーブルに固定され外周面に係止歯が形成された調整パイプを挿通する挿通孔と、その挿通孔と交差する角孔と、を有するベース部材と、角孔内に調整パイプの軸芯方向に摺動自在に挿入され角孔内に収容されたときに調整パイプの係止歯と係合するロック歯を有する調整駒と、からなる。角孔内に収容された調整駒は、バネにより挿入方向と反対へ付勢されている。調整駒が角孔内に収容されているときには、調整パイプの係止歯と調整駒のロック歯とが係合するので調整パイプは摺動不可能となり、使用状態に固定される。バネの付勢に抗って調整駒を軸芯方向へ押し込むと、係止歯とロック歯との係合が解除され、調整パイプは軸方向に摺動可能となる。
【０００５】
しかしながら、特許文献１では、バネの付勢に抗って調整駒を軸芯方向へ押し込むだけで係止歯とロック歯との係合が解除されるため、コントロールケーブルの使用中に固定が解除されるという誤操作が起こりうる。このような誤操作を防止するために、別部材のストッパー等の手段を講ずることもできるが、例えばストッパーを用いると、装置の使用時にストッパーを固定または解除する必要があるので操作回数が増加する。さらに、装置の部品数が多くなると共に、取り付けスペースが拡大するという問題がある。
【０００６】
【特許文献１】
特開平６−２４９２２８号公報
【０００７】
【発明が解決しようとする課題】
本発明は、コンパクトで少ない部品構成でありながら、簡単な操作で締結が可能であり、かつ誤操作の少ないコントロールケーブルの締結部材を提供することを課題とする。
【０００８】
【課題を解決するための手段】
本発明のコントロールケーブルの締結部材は、外周に第一係止歯をもつ筒状の係止部を有するチューブ状のコントロールケーブルの該係止部が挿入される挿入孔と、該挿入孔の奥側で該挿入孔と交差する窓孔と、を有する締結本体と、前記窓孔に収納され、かつ前記第一係止歯と係止する第二係止歯を有するキー部材と、を有するコントロールケーブルの締結部材であって、前記締結本体および前記キー部材は、前記第一係止歯と前記第二係止歯とが係止しない状態で該キー部材を前記窓孔に収納し、かつ該キー部材を前記窓孔に仮止めする保持部と、前記キー部材に設けられた操作部により仮止めを解除して前記第一係止歯と前記第二係止歯とを係止するロック部と、を有することを特徴とする。
【０００９】
上記構成によれば、キー部材に設けられた操作部を作動させなければ仮止めの解除ができないので、誤操作による仮止めの解除を別部材を用いることなく防止できる。そのため、キー部材を締結本体の窓孔に収納した状態に保持するための別の部品や、その部品を着脱する操作が不要となる。また、キー部材は、締結本体の窓孔に常時収納されているので、コンパクトな締結部材となる。そのため、コントロールケーブルの締結部材を組み付ける際には、狭い場所でも設置でき、また、狭いスペースでも作業ができるので作業性が向上する。
【００１０】
前記保持部および前記ロック部は、前記締結本体および前記キー部材に設けられ互いに嵌合する凹部および凸部の一方および他方からなるのが好ましい。さらに、前記凹部および／または前記凸部は弾性部材に設けられているのが好ましく、前記凹部および／または前記凸部は断面方形状であるのが好ましい。凹部や凸部が弾性部材に設けられていると、弾性部材の撓みの程度を適宜調節することによりキー部材の操作量や操作時の負荷を所望の大きさに設定することができる。また、凹部や凸部が断面方形状であれば、操作部などを作動させない限り、凸部と凹部との嵌合が解けることはないので、誤操作による仮止めの解除や第一係止歯と第二係止歯との係止の解除を、別部材を用いることなく防止できる。
【００１１】
前記操作部は、可撓性を有する板状であるのが好ましい。操作部が可撓性を有する板状であると、撓みの程度を適宜調節することにより操作部の操作量や操作時の負荷を所望の大きさに設定することができる。
【００１２】
前記キー部材は、Ｕ字形状であるのが好ましく、Ｕ字形状の内周面に前記第二係止歯を有するのが好ましい。
【００１３】
本発明の別の構成を有するコントロールケーブルの締結部材は、外周に第一係止歯をもつ筒状の係止部を有するチューブ状のコントロールケーブルの該係止部が挿入される挿入孔と、該挿入孔の奥側で該挿入孔と交差する窓孔と、一方のロック部と、を有する締結本体と、前記窓孔に収納され、かつ前記第一係止歯と係止する第二係止歯と、該一方のロック部と係止する他方のロック部と、を有するキー部材と、を有するコントロールケーブルの締結部材であって、前記キー部材は、前記第二係止歯を持つ挿入端部と、該挿入端部に対して揺動することにより挿入方向の長さが短縮される操作端部と、からなることを特徴とする。
【００１４】
キー部材は、操作端部が挿入端部に対して揺動することにより挿入方向の長さが短縮されるので、コンパクトな締結部材となる。そのため、コントロールケーブルの締結部材を組み付ける際には、狭い場所でも設置でき、また、狭いスペースでも作業ができるので作業性が向上する。
【００１５】
さらに、前記締結本体および前記キー部材は、該キー部材を前記窓孔に仮止めする保持部を有するのが望ましい。保持部を有することにより、誤操作による仮止めの解除を、別部材を用いることなく防止できる。
【００１６】
前記操作端部は、断面Ｕ字形状であるのが望ましい。また、前記キー部材は揺動中心軸を有し、前記操作端部は該揺動中心軸を中心とする扇形状部分を有するのが望ましい。
【００１７】
前記操作端部および該操作端部と摺接する前記締結部材の摺接部は、互いに嵌合する凹部および凸部の一方および他方を有するのが望ましい。操作端部および摺接部が、凹部および凸部で嵌合することにより、誤操作による仮止めの解除や第一係止歯と第二係止歯との係止の解除を、別部材を用いることなく防止できる。
【００１８】
前記操作端部の凹部および／または凸部は、弾性部材に設けられているのが望ましい。また、前記凹部および前記凸部は、球面からなる凹凸であるのが望ましい。凹部および／または凸部が球面からなる凹凸であれば、操作端部が揺動して凹部および／または凸部の向きや位置が変更されても、どちらの方向からでも嵌合させたり、嵌合を解除することが可能である。
【００１９】
前記挿入端部は、Ｕ字形状であるのが望ましく、前記Ｕ字形状の内周面に前記第二係止歯を有するのが望ましい。
【００２０】
上記のコントロールケーブルの締結部材において、前記締結本体は、全体が筒状であるのが好ましく、この際、前記締結本体の窓孔に保持される前記キー部材は、前記締結本体と一体となって全体として筒状をなすのが好ましい。筒状の形状を有する締結本体にキー部材を収納した時に、筒状の締結本体の周面からキー部材が突出することなく一体となるので、締結部材の設置場所や設置作業領域を少なくできる。
【００２１】
前記第一係止歯は、前記係止部の外周面をリング状に一周し軸方向に延びる凹凸からなるのが好ましい。さらに、前記係止部は、該係止部の中央部に形成され端部よりも縮径された縮径部と、該縮径部の外周面に形成されたゴム製の防振部と、を有し、前記第一係止歯は、該防振部の外周面をリング状に一周し軸方向に延びる樹脂製の凹凸からなるのが望ましい。縮径部の外周面に防振部と樹脂製の第一係止歯を設けるので、係止部の外径寸法が大きくなることがない。
【００２２】
【発明の実施の形態】
本発明のコントロールケーブルの締結部材は、締結本体とキー部材とを有する。
【００２３】
締結本体は、コントロールケーブルの係止部が挿入される挿入孔と、挿入孔の奥側で挿入孔と交差する窓孔とを有する。
【００２４】
締結本体に挿入される係止部を有するコントロールケーブルは、チューブ状のアウターケーブルと、アウターケーブル内に挿通されるインナーケーブルとからなる一般的なコントロールケーブルであれば特に限定はないが、チューブ状のコントロールケーブルは、外周に第一係止歯をもつ筒状の係止部を有する。
【００２５】
係止部は、締結部材として望まれる機械的強度などを考慮して材料を適宜選択すればよい。また、係止部の形状や大きさも、締結部材の大きさに合わせて適宜選択すればよい。
【００２６】
係止部は、その外周に第一係止歯を有する。第一係止歯は、キー部材が有する第二係止歯（後述）と係止した場合に、少なくともケーブルの軸方向への移動を規制できる形状であればよい。そのため、係止部には、その外周面に第二係止歯と係止する凹凸を第一係止歯として形成しても良い。具体的には、係止部の外周面に形成されたリング状に一周し軸方向に延びる凹凸や、雄螺子や、軸方向に等間隔に形成された蛇腹状の凹凸などが挙げられる。
【００２７】
特に、係止部は、係止部の中央部に形成され端部よりも縮径された縮径部と、その縮径部の外周面に形成されたゴム製の防振部とを有し、第一係止歯が、その防振部の外周面をリング状に一周し軸方向に延びる樹脂製の凹凸からなるのが望ましい。上記構成により、縮径部の外周面に防振部と樹脂製の第一係止歯を設けるので、係止部の外径寸法が大きくなることがない。なお、ゴム製の防振部および樹脂製の凹凸は、鋳込成形等により成形されるのが望ましい。この際、成形温度が（樹脂成形温度）≦（ゴム劣化温度）となるように成形方法や材料を選択する必要がある。
【００２８】
さらに、係止部の端部には、第一係止歯の外径よりも大きいガイド部を形成しても良い。ガイド部を形成すると、係止部を締結本体の挿入孔へ挿入する際に第一係止歯が挿入孔に接触するのを防ぐことができ、係止部を滑らかに適切な位置まで容易に挿入することができる。
【００２９】
締結本体は、締結部材として望まれる機械的強度などを考慮して材料を適宜選択すればよいが、好ましくはポリアセタール、ナイロン、ポリプロピレンなどの樹脂製である。締結本体の形状に特に限定はないが、全体が筒状であるのが好ましい。また、締結本体は、その一端に、支持ブラケット等の支持構造体を取り付ける支持部材を有するものでもよい。
【００３０】
締結本体は、ケーブルの係止部を挿入する挿入孔を有する。挿入孔の形状や大きさは、係止部を挿入できれば特に限定はなく、係止部の形状と大きさに合わせて適宜選択すればよい。また、締結本体は、挿入孔の奥側で挿入孔と交差する窓孔を有する。挿入孔の奥側とは、挿入孔の端部すなわちケーブルの出入り口となる部分以外の部分を指す。窓孔は、挿入孔の奥側で挿入孔と交差する位置にあれば、その形状や大きさに特に限定はない。
【００３１】
キー部材は、締結本体の窓孔に収納され、かつコントロールケーブルの第一係止歯と挿着時に係止する第二係止歯を有する。
【００３２】
キー部材は、締結部材として望まれる機械的強度などを考慮して材料を適宜選択すればよいが、好ましくはポリアセタール、ナイロン、ポリプロピレンなどの樹脂製である。キー部材は、締結本体の窓孔に挿着できれば、その大きさに特に限定はない。また、キー部材は、Ｕ字形状であるのが好ましく、Ｕ字形状の内周面に第二係止歯を有するのが好ましい。キー部材がＵ字形状であれば、締結本体が筒状である場合、締結本体の外周面からキー部材が突出すること無く一体的になるので、コンパクトな締結部材となる。
【００３３】
第二係止歯は、ケーブルの係止部に形成された第一係止歯と係止した場合に、少なくともケーブルの軸方向への移動が規制できる形状であればよい。例えば、第一係止歯が雄螺子であれば第二係止歯にはその雄螺子と螺合する雌螺子を、第一係止歯が蛇腹状の凹凸であれば第二係止歯にはその凹凸と嵌合する凹凸を用いれば、ケーブルの軸方向への移動が規制できる。また、多数の突起とその突起と係止する窪みとが係止する形態の係止歯の組み合わせであれば、ケーブルの軸方向への移動と共に回動も規制できる。
【００３４】
本発明のコントロールケーブルの締結部材において、締結本体およびキー部材は、保持部とロック部とを有する。
【００３５】
保持部は、第一係止歯と第二係止歯とが係止しない状態でキー部材を窓孔に収納し、かつキー部材を窓孔に仮止めする。また、ロック部は、キー部材に設けられた操作部により仮止めを解除して第一係止歯と第二係止歯とを係止する。保持部およびロック部は、キー部材を窓孔に固定できる形態であれば特に限定はないが、締結本体およびキー部材に設けられ、互いに嵌合する凹部および凸部の一方および他方をそれぞれ有するのが好ましい。凹部および凸部は、互いに嵌合すれば締結本体とキー部材のどちらに設けられてもよく、その数にも限定はない。また、凹部および／または凸部の形状は、断面方形状であるのが望ましい。断面方形状であれば、誤操作により仮止めの状態および／または第一係止歯と第二係止歯とが係止したロックの状態が解除されるのを防止できる。
【００３６】
凹部、凸部の少なくとも一方は、弾性部材に設けられているのが好ましい。弾性部材は、窓孔にキー部材を挿入して仮止めの状態とする際にかかる力により撓みを生じる。弾性部材に撓みが生じることで、凹部と凸部を滑らかに移動させ、嵌合することができる。また、撓みの程度を調節することで、キー部材の操作量や操作時の荷重を所望の大きさに設定することができる。操作時の荷重を小さくしたい場合には、弾性部材の厚みを薄くして撓みを生じやすくしたり、撓みを生じやすい弾性部材を選択するなどして適宜調節すればよい。
【００３７】
また、上記した凹凸の嵌合の他にも、締結本体とキー部材とを部分的に当接させる形態でもよい。この際、キー部材の挿入方向への動きを規制するように当接させることにより、誤操作により仮止めの状態またはロックの状態が解除されるのを防止できる。
【００３８】
操作部は、キー部材に設けられ、操作部を作動させることで締結本体とキー部材との仮止めを解除することができれば、その形態に限定はないが、可撓性を有する板状であるのが望ましい。操作部に撓みを生じさせることにより、保持部の仮止め状態を解除できる。また、操作部により、第一係止歯と第二係止歯とが係止したロックの状態を解除できるようにしてもよい。さらに、操作部を操作し易くするために、操作部に取っ手を設けたり、操作部に撓みを与えたままキー部材の着脱が可能となる専用の器具を用いてもよい。
【００３９】
本発明の別の構成を有するコントロールケーブルの締結部材は、締結本体とキー部材とを有する。
【００４０】
締結本体は、コントロールケーブルの係止部が挿入される挿入孔と、挿入孔の奥側で挿入孔と交差する窓孔と、一方のロック部とを有する。なお、挿入孔、窓孔およびコントロールケーブルは、前述した形態の挿入孔、窓孔およびコントロールケーブルであればよい。また、キー部材は、締結本体の窓孔に収納され、かつ係止部の第一係止歯と係止する第二係止歯と、一方のロック部と係止する他方のロック部とを有する。なお、第一係止歯および第二係止歯は、前述の形態であればよい。締結本体の一方のロック部およびキー部材の他方のロック部は、互いに係止できる形態であれば特に限定はない。
【００４１】
キー部材は、第二係止歯を持つ挿入端部と、挿入端部に対して揺動することにより挿入方向の長さが短縮される操作端部と、からなる。
【００４２】
挿入端部は、締結本体の窓孔に挿入される部分である。挿入端部は、締結部材として望まれる機械的強度などを考慮して材料を適宜選択すればよいが、望ましくはポリアセタール、ナイロン、ポリプロピレンなどの樹脂製である。挿入端部は、窓孔に挿着できれば、その大きさに特に限定はない。また、挿入端部は、Ｕ字形状であるのが好ましく、Ｕ字形状の内周面に第二係止歯を有するのが好ましい。
【００４３】
操作端部は、挿入端部に対して揺動することにより挿入方向の長さが短縮される。操作端部は、締結部材として望まれる機械的強度などを考慮して材料を適宜選択すればよいが、望ましくはポリアセタール、ナイロン、ポリプロピレンなどの樹脂製である。操作端部は、その大きさに特に限定はない。
【００４４】
また、操作端部の形状に特に限定はないが、断面Ｕ字形状であるのが望ましい。操作端部が断面Ｕ字形状であれば、締結本体が筒状である場合、締結本体からキー部材（すなわち操作端部）が突出すること無く一体的になるので、コンパクトな締結部材となる。そして、キー部材は揺動中心軸を有し、操作端部は揺動中心軸を中心とする扇形状部分を有するのが望ましい。揺動中心軸を中心とする扇形状部分を有する操作端部は、揺動するために要するスペースを最小にできる。
【００４５】
締結部材は、操作端部および操作端部と摺接する摺接部を有するのが望ましい。そして、互いの摺接面には、互いに嵌合する凹部および凸部の一方および他方を有するのが望ましい。凹部および凸部は、互いに嵌合すれば締結本体とキー部材のどちらに設けられてもよく、その数にも限定はない。
【００４６】
また、操作端部の凹部または凸部は、弾性部材に設けられているのが望ましい。弾性部材に撓みが生じることで、凹部と凸部を滑らかに移動させ、嵌合することができる。また、撓みの程度を調節することで、キー部材の操作量や操作時の荷重を所望の大きさに設定することができる。操作時の荷重を小さくしたい場合には、弾性部材の厚みを薄くして撓みを生じやすくしたり、撓みを生じやすい弾性部材を選択するなどして適宜調節すればよい。
【００４７】
さらに、凹部および凸部は、球面からなる凹凸であるのが望ましい。凹部および／または凸部が球面からなる凹凸であれば、操作端部が揺動して凹部および／または凸部の向きや位置が変更されても、どちらの方向からでも嵌合させたり解除することが可能である。また、球面からなる凸部は、面状の部分と点で接するため、第一係止歯と第二係止歯とを係止させたり、その係止を解除したりする際に、摺接面等の面上を容易に摺動できる。
【００４８】
なお、締結本体およびキー部材は、キー部材を締結本体の窓孔に仮止めする保持部を有するのが望ましい。保持部は、キー部材と窓孔とが係止する形態であれば特に限定はないが、凹凸の嵌合によるものが望ましい。他にも、締結本体とキー部材とを部分的に当接させてもよい。この際、キー部材の挿入方向への動きを規制するように当接させることにより、誤操作により仮止めの状態またはロックの状態が解除されるのを防止できる。
【００４９】
【実施例】
（実施例１）
本発明のコントロールケーブルの締結部材の一実施例を、図を用いて説明する。
【００５０】
図１は、本実施例のコントロールケーブルの締結部材の全体的な構成を示す斜視図である。コントロールケーブルの締結部材１は、締結本体２０とキー部材３０とからなる。そして、締結本体２０は、支持部材６０と一体的に形成されている。支持部材６０は、締結本体２０と一体的に形成されたボルト部材６１と、ボルト部材６１の相手材で捻りバネ６２で付勢された回転ナット６３と、車輌取付用ブラケット６９に当接するブラケット当接面６５と、からなる。車輌取付用ブラケット６９は、回転ナット６３の付勢力により、回転ナット６３とブラケット当接面６５との間に狭持される。また、コントロールケーブル１０は、チューブ状のアウターケーブル１１と、アウターケーブル１１内に挿通されるインナーケーブル１６とからなる。アウターケーブル１１の一端には、係止部１３（後述）が固定される。インナーケーブル１６の端部には、取付具１８が固定される。係止部１３は、支持部材６０と支持部材６０に一体的に形成された締結部材２０の挿入孔（後述）に通される。
【００５１】
また、図２は、本実施例に用いられるコントロールケーブルの係止部の断面図である。図３〜５は、本発明のコントロールケーブルの締結部材の締結本体の斜視図および断面図である。図６〜８は、本発明のコントロールケーブルの締結部材のキー部材の斜視図および断面図である。以下に、各部分の構成を図１〜８を用いて詳説する。
【００５２】
［コントロールケーブル］
コントロールケーブル１０は、チューブ状のアウターケーブル１１と、アウターケーブル１１内に挿通されるインナーケーブル１６とからなる（図１）。アウターケーブル１１の一端には、係止部１３が固定される。
【００５３】
図２は、コントロールケーブル１０の係止部１３の断面図である。係止部１３は、筒状の金属製で、係止部１３の中央部に形成され端部よりも縮径された縮径部１３１を有する。縮径部１３１の外周面にはゴム製の防振部１３２を有し、防振部１３２の外周面にはリング状に一周し軸方向に延びる凹凸からなるポリアミド樹脂製の第一係止歯１３３を有する。第一係止歯１３３は、後述するキー部材３０の内周面の第二係止歯３１１と係止する形状である。
【００５４】
なお、防振部１３２は、加圧加硫を行いモールド成形により成形した。また、第一係止歯１３３は、モールド成形により成形した。この際、防振部１３２の成形温度を１５０℃、第一係止歯１３３の成形温度を２５０℃とした。
【００５５】
なお、係止部１３の両端は、拡径部１３６，１３７である。一方の拡径部１３６は、各径部１３６の周方向に形成された縮径部からなるロールかしめを有する。拡径部１３６には、スリーブ１５の一端部が、ロールかしめにより、軸を中心とした回転が可能に固定される。そして、スリーブ１５の他端部は、取付部１８から延出する管部と結合する。なお、インナーケーブル１６は、その端部が取付部１８から延出する管部の先端部に挿入された状態でかしめにより固定され、スリーブ１５から係止部１３へと挿通される（図１）。他方の拡径部１３７は、端部の内周面に雌螺子１３９が形成されており、アウタケーブル１１が固定される。
【００５６】
［締結本体］
図３は、本実施例のコントロールケーブルの締結部材の締結本体の斜視図である。また、図４および図５は、本発明のコントロールケーブルの締結部材の締結本体の断面図であって、軸方向断面図を図４に、軸芯方向断面図を図５に示す。なお、各断面図はキー部材（後述）の挿入方向の断面を示し、図５はコントロールケーブルの締結部材の窓孔（後述）の中央部における断面図である。
【００５７】
本実施例のコントロールケーブルの締結部材において、締結本体２０は、ガラス繊維強化ナイロン樹脂製である。締結本体２０は、全体として円筒形で、円筒の中空部分は、挿入孔２１である。この挿入孔２１は、コントロールケーブル１０の係止部１３を挿入する孔である。そして、挿入孔２１は、締結本体２０の軸方向に平行に延びている。
【００５８】
締結本体２０は、挿入孔２１とその奥側で交差し、締結本体２０を貫通する窓孔２２を有する。窓孔２２は、後述するキー部材３０を収納する孔である。窓孔２２は、締結本体２０の軸方向に平行かつ互いに平行に対向する２つの面２２１と、面２２１に垂直かつ互いに平行に対向する２つの面２２６からなる。
【００５９】
対向する２つの面２２１は、面の中央部に軸方向と垂直方向に走る、断面コ字形状の溝部を有する。また、溝部には、軸と垂直方向に段差が設けられ、段差を境界として中央凸部２０１と中央凹部２０２を形成する。さらに、溝部の両側にも、段差が設けられ、段差を境界として側方凸部２０３と側方凹部２０４を形成する。すなわち、面２２１にはそれぞれ４つの凹凸（中央凸部２０１，中央凹部２０２，側方凸部２０３，側方凹部２０４）が存在する。なお、４つの凹凸のうち、側方凸部２０３が最も窓孔２２側に突出しており、中央凹部２０２が最も窪んでいる。また、中央凸部２０１と側方凹部２０４は、同じ面に存在する（図５）。
【００６０】
また、締結本体２０は、窓孔２２の面２２１側に支持面２２２を有する。支持面２２２は、窓孔２２にキー部材３０を収納する際に、キー部材３０の挿入方向に対して垂直な面を有する。
【００６１】
なお、締結本体２０は、その外周面に４つの耳部２５を有する。耳部２５は、締結本体２０の側面からキー部材３０の挿入方向に突出しており、締結部材２０の外周面と同軸的な曲面からなる。この耳部２５は、コントロールケーブルの締結部材を図９に示す仮止めの状態（後述）で運搬するので、運搬中にキー部材３０が締結本体に挿入され仮止め状態が解除されるといった誤操作や、キー部材３０の破損を防止するためのものである。
【００６２】
［キー部材］
図６は、本発明のコントロールケーブルの締結部材のキー部材の斜視図である。また、図７および図８は、本発明のコントロールケーブルの締結部材のキー部材の断面図であって、軸方向断面図を図７に、軸芯方向断面図を図８に示す。なお、各断面図はキー部材の挿入方向の断面を示し、キー部材の中央部における断面図である。
【００６３】
本実施例のコントロールケーブルの締結部材において、キー部材３０は、ガラス繊維強化ナイロン樹脂製である。キー部材３０は、全体としてＵ字形状であり、円筒形の締結本体２０の外周面と同一の曲率半径の外面をもった天井部３１と、天井部３１から直線的に延出する２つの脚部３６とからなる。そして、脚部３６の端面は、天井部３１の外面と同一円周上にある。また、Ｕ字形状のキー部材３０の内周面、すなわち、天井部３１と２つの脚部３６とで形成される空間の内周面には、第二係止歯３１１が形成されている。この第二係止歯３１１は、前述のコントロールケーブル１０の係止部１３に形成された第一係止歯１３３と係止する形状である。
【００６４】
キー部材３０の外面をなす２つの脚部３６の側面には、断面コ字形状に天井部３１から垂直に抜かれた空間部３６１を有する。空間部３６１の両側には、それぞれ外側に向かって突出した挿入凸部３０４を有する。挿入凸部３０４は、その長手方向の断面が直角三角形で、脚部３６の先端側に三角形の鋭角を向けている。なお、挿入凸部３０４は、前述の締結本体２０の側方凹部２０４と嵌合する。
【００６５】
また、空間部３６１には、板状の操作部３６３が設けられる。操作部３６３は、脚部３６の先端側で脚部３６と一体的に形成されている。この操作部３６３の中央部には、揺動凸部３０２が設けられる。揺動凸部３０２は、その長手方向の断面が（上底）＞（下底）である台形である。操作部３６３は、空間部３６１の方へ力を加えると撓みを生じるので、操作部３６３を動かすことにより揺動凸部３０２が移動する。なお、揺動凸部３０２は、前述の締結本体２０の中央凹部２０２と嵌合する。
【００６６】
［締結操作］
図１〜８と、図９および図１０を用いて、本実施例のコントロールケーブルの締結部材の締結操作を説明する。なお、図１に示した支持部材６０についての詳しい説明は、省略する。
【００６７】
キー部材３０は、締結本体２０の窓孔２２へ軸芯方向へ挿入される。この際、キー部材３０の挿入凸部３０４は窓孔２２の支持面２２２（側方凸部２０３）よりも外側へ突出しているので、挿入凸部３０４は支持面２２２に相対的に押されることにより脚部３６がキー部材３０の内側へ撓む。そして、挿入凸部３０４は、先端が斜めになっているので窓孔２２へ滑らかに挿入され、締結本体２０の側方凹部２０４に嵌合する。これが、図９に示す仮止めの状態である。
【００６８】
仮止め状態では、キー部材３０の揺動凸部３０２の底辺が支持面２２２（中央凸部２０１）よりも外側に突出しているため、更に負荷してキー部材３０を軸芯方向へ押し込んだとしても、揺動凸部３０２が支持面２２２に当接するので、操作部３６３を操作しない限り、それ以上キー部材３０が軸芯方向へ移動することはない。また、挿入凸部３０４は、締結本体２０の側方凹部２０４に嵌合しており側方凸部２０３と側方凹部２０４との境である段差に当接するので、キー部材３０が窓孔２２から抜け出すことは無い。したがって本実施例では、締結本体２０の支持面２２２とキー部材３０の揺動凸部３０２、側方凹部２０４と挿入凸部３０４で、キー部材３０を窓孔２２に仮止めする保持部を構成する。
【００６９】
さらに仮止め状態では、キー部材３０は、天井部３１や脚部３６の端面が締結本体２０の窓孔２２の内部に収納され、突出した部分がなく、締結部材全体としてほぼ円筒状となる。
【００７０】
次に、コントロールケーブル１０の係止部１３を挿入孔２１内で軸方向に摺動させ、コントロールケーブル１０の長さを調整する。コントロールケーブル１０が適度な長さとなったら、キー部材３０の上方から両端を押さえることにより操作部３６３を空間部３６１の方へ撓ませ、揺動凸部３０２を支持部２２２（中央凸部２０１）よりも内側へ移動させる。この操作により、仮止め状態が解除される。そして、そのままの状態でキー部材３０を軸芯方向へ挿入し、キー部材３０の揺動凸部３０２を締結本体２０の中央凹部２０２に嵌合させる。このとき、キー部材３０の第二係止歯３１１と、係止部１３に形成された第一係止歯１３３とが係止する。第二係止歯３１１と第一係止歯１３３とが係止することにより、コントロールケーブル１０が所望の長さを保って固定される。これが、図１０に示すロック状態である。
【００７１】
この際、キー部材３０の揺動凸部３０２は、締結本体２０の中央凹部２０２に嵌合しており中央凸部２０１と中央凹部２０２との境である段差に当接するため、操作部３６３を作動させない限り嵌合は解けないので、キー部材３０の抜け出しを防止することができる。したがって、締結本体２０の中央凹部２０２、およびキー部材３０の揺動凸部３０２で、第一係止歯１３３と第二係止歯３１１とを係止するロック部を構成する。
【００７２】
ロック状態から、再び仮止め状態に戻すには、キー部材３０の両側面を押さえて操作部３６３を空間部３６１の方へ撓ませる。キー部材３０の側面が空間部３６１へ撓むことにより、揺動凸部３０２と中央凹部２０２との嵌合が解けるので、キー部材３０を締結本体２０から抜き出すと、仮止め状態となる。
【００７３】
（実施例２）
本発明のコントロールケーブルの締結部材の他の実施例を、図を用いて説明する。
【００７４】
図１１〜１３は、本発明のコントロールケーブルの締結部材の締結本体の斜視図および断面図である。図１４は、本発明のコントロールケーブルの締結部材のキー部材の斜視図である。なお、各断面図はキー部材（後述）の挿入方向の断面を示し、図１３はコントロールケーブルの締結部材の窓孔（後述）の中央部における断面図である。
【００７５】
本実施例のコントロールケーブルの締結部材は、実施例１のコントロールケーブルの締結部材において、締結本体およびキー部材を、以下に記載の構成としたものである。そのため、コントロールケーブルおよび支持部材は、実施例１と同様である。
【００７６】
［締結本体］
本実施例のコントロールケーブルの締結部材において、締結本体４０は、ガラス繊維強化ナイロン樹脂製である。締結本体４０は、全体として円筒形で、円筒の中空部分は、挿入孔４１である。この挿入孔４１は、コントロールケーブル１０の係止部１３を挿入する孔である。そして、挿入孔４１は、締結本体４０の軸方向に平行に延びている。
【００７７】
締結本体４０は、挿入孔４１とその奥側で交差し、締結本体４０を貫通する窓孔４４を有する。窓孔４４は、後述するキー部材５０を収納する孔である。窓孔４４は、締結本体４０の軸方向に平行かつ互いに平行に対向する２つの面４４１と、面４４１に垂直かつ互いに平行に対向する２つの面４４６からなる。
【００７８】
対向する２つの面４４１には段差が設けられ、段差を境界として上側凸部４０１と下側凹部４０２を形成する。
【００７９】
また、締結本体４０は、窓孔４４の面４４１側に支持面４４４を有する。支持面４４４は、窓孔４４に後述するキー部材５０を収納する際に、キー部材５０の挿入方向に対して垂直な面を有する。
【００８０】
締結本体４０の一端部は、軸方向から見て左右対称に形成されたＬ字状の切り取り部を有する。このＬ字状の切り取り部の底面は、前述の支持面４４４と一体となっている。Ｌ字状の切り取り部の他の面は、キー部材５０と摺接する摺接面４６７であり、摺接面４６７には球面からなる球面凹部４０６，４０７を有する。
【００８１】
また、締結本体４０の他端部には、その外周面に２つの耳部４５を有する。耳部４５は、締結本体４０の側面からキー部材５０の挿入方向に突出しており、締結部材４０の外周面と同軸の曲面を有する。この耳部４５は、コントロールケーブルの締結部材を図１５に示す仮止めの状態（後述）で運搬するので、運搬中にキー部材５０やキー部材５０を構成する部材が破損することを防止するためのものである。
【００８２】
［キー部材］
図１４は、本発明のコントロールケーブルの締結部材のキー部材の斜視図である。本実施例のコントロールケーブルの締結部材において、キー部材５０は、ガラス繊維強化ナイロン樹脂製である。
【００８３】
キー部材５０は、Ｕ字形状の挿入端部５１を有する。挿入端部５１は、円筒形の締結本体４０の外周面と同一の曲率半径の外面をもった天井部５１１と、天井部５１１から直線的に延出する２つの脚部５１６とからなる。そして、脚部５１６の端面は、天井部５１１の外面と同一円周上にある。また、Ｕ字形状のキー部材５０の内周面、すなわち、天井部５１１と２つの脚部５１６とで形成される空間の内周面には、第二係止歯５１３が形成されている。この第二係止歯５１３は、前述のコントロールケーブル１０の係止部１３に形成された第一係止歯１３３と係止する形状である。
【００８４】
脚部５１６には、それぞれ外側に向かって突出した挿入凸部５０１を有する。挿入凸部５０１は、その断面が直角三角形で、脚部５１６の先端側に三角形の鋭角を向けている。なお、挿入凸部５０１は、前述の締結本体４０の下側凹部４０２と嵌合する。
【００８５】
また、キー部材５０は、挿入端部５１に対して揺動する操作端部５６を有する。操作端部５６は、挿入端部５１と同じ曲率の曲面を有する板状の蓋部５６１と、２枚一組の扇形（四分の一円）状の側部５６２と、からなる。側部５６２は、蓋部５６１の両側に一体的に固定されている。また、側部５６２の内側面には、球面凸部５６７が形成されている。この球面凸部５６７は、前述した締結本体４０の摺接面４６７に形成された球面凹部４０６，４０７と嵌合する。
【００８６】
挿入端部５１と操作端部５６とは、揺動中心軸５５を介して回転可能に固定されている。したがって、操作端部５６は、揺動中心軸５５を中心として挿入端部５１に対して回転する。図１４に示す操作端部５６を挿入端部５１に対して立てた状態では、操作端部５６は、挿入端部５１の上方に固定されている。図１４の矢印の方向へ操作端部５６を９０°回転すると、操作端部５６は挿入端部５１に対して倒れた状態となり、操作端部５６の蓋部５６１の外面は、挿入端部５１の天井部５１１と同じ程度の高さとなる。この回転操作により、キー部材５０の挿入方向の長さが短縮される。
【００８７】
［締結操作］
図１５〜１７を用いて、本実施例のコントロールケーブルの締結部材の締結操作を説明する。
【００８８】
キー部材５０は、図１６に示す状態で、締結本体４０の窓孔４４へ軸芯方向へ挿入される。この際、キー部材５０の挿入凸部５０１は窓孔４４の支持面４４４よりも外側へ突出しているので、挿入凸部５０１は支持面４４４（上側凸部４０１）に相対的に押されることにより脚部５１６がキー部材５０の内側へ撓む。そして、挿入凸部５０１は、先端が斜めになっているので窓孔４４へ滑らかに挿入され、締結本体４０の下側凹部４０１に嵌合する。その後、軸芯方向に突出した操作端部５６を倒すと、曲面からなる蓋部５６１は締結本体４０の外周面に沿う。同時に、側部５６２は、操作端部５６を倒すことにより側部５６２の内側面と締結本体４０の摺接面４６７とが摺接しながら移動し、最後には球面凸部５６７と球面凹部４０７とが嵌合する。これが、図１５に示す仮止めの状態である。
【００８９】
仮止め状態では、キー部材５０の側部５６２の円周面の一部と支持面４４４とが当接し、キー部材５０が支持面４４４に支持されるため、更に負荷してキー部材５０を軸芯方向へ押し込んだとしても、操作端部５６を操作しない限り、それ以上キー部材５０が軸芯方向へ移動することはない。また、挿入凸部５０１は、締結本体４０の下側凹部４０２に嵌合しており上側凸部４０１と下側凹部４０２との境である段差に当接するので、キー部材５０が窓孔４４から抜け出すことは無い。さらに、キー部材５０の球面凸部５６７と締結本体４０の球面凹部４０７との嵌合により、キー部材５０が窓孔４４から抜け出すことが防止される。したがって、締結本体４０の支持面４４４とキー部材５０の側部５６２、下側凹部４０１と挿入凸部５０１、球面凹部４０７と球面凸部５６７で、キー部材５０を窓孔４４に仮止めする保持部を構成する。
【００９０】
また、仮止め状態では、キー部材５０は、天井部５１１や脚部５１６の端面が締結本体４０の窓孔４４の内部に収納され、さらに、蓋部５６１は締結本体の外周面に沿って組み付けられるので、突出した部分がなく、締結部材全体としてほぼ円筒状となる。
【００９１】
次に、コントロールケーブル１０の係止部１３を挿入孔４１内で軸方向に摺動させ、コントロールケーブル１０の長さを調整する。コントロールケーブル１０が適度な長さとなったら、キー部材５０の操作端部５６を回転して、再び、挿入端部５１に対して立てた状態（図１６）とする。この操作により、仮止め状態が解除される。そして、そのままの状態でキー部材５０を軸芯方向へ挿入すると、側部５６２の内側面と締結本体４０の摺接面４６７とが摺接しながら移動し、最後には、球面凸部５６７と球面凹部４０６とが嵌合する。この際、キー部材５０の第二係止歯５１３と、係止部１３に形成された第一係止歯１３３とが係止する。第二係止歯５１３と第一係止歯１３３とが係止することにより、コントロールケーブル１０が所望の長さを保って固定される。これが、図１７に示すロック状態である。
【００９２】
この際、キー部材５０の球面凸部５６７は、締結本体４０の球面凹部４０６と嵌合しているので、側部５６２を外側へ撓ませない限り、または、キー部材３０を強い力で引き抜かない限り、球面凸部５６７と球面凹部４０６との嵌合は解けないので、キー部材３０の抜け出しが防止される。
【００９３】
ロック状態から、再び仮止め状態に戻すには、キー部材５０の側部５６２を外側へ撓ませて、球面凸部５６７と球面凹部４０６との嵌合を解き、キー部材３０を締結本体２０から抜き出すと、図１６の状態となる。その後、操作端部５６を倒して、図１５の仮止め状態となる。
【００９４】
【発明の効果】
本発明のコントロールケーブルの締結部材は、外周に第一係止歯をもつ筒状の係止部を有するチューブ状のコントロールケーブルの該係止部が挿入される挿入孔と、該挿入孔の奥側で該挿入孔と交差する窓孔と、を有する締結本体と、前記窓孔に収納され、かつ前記第一係止歯と係止する第二係止歯を有するキー部材と、を有するコントロールケーブルの締結部材であって、前記締結本体および前記キー部材は、前記第一係止歯と前記第二係止歯とが係止しない状態で該キー部材を前記窓孔に収納し、かつ該キー部材を前記窓孔に仮止めする保持部と、前記キー部材に設けられた操作部により仮止めを解除して前記第一係止歯と前記第二係止歯とを係止するロック部と、を有することを特徴とする。
【００９５】
上記構成によれば、キー部材に設けられた操作部を作動させなければ仮止めの解除ができないので、誤操作による仮止めの解除を別部材を用いることなく防止できる。そのため、キー部材を締結本体の窓孔に収納した状態に保持するための別の部品や、その部品を着脱する操作が不要となる。また、キー部材は、締結本体の窓孔に常時収納されているので、コンパクトな締結部材となる。そのため、コントロールケーブルの締結部材を組み付ける際には、狭い場所でも設置でき、また、狭いスペースでも作業ができるので作業性が向上する。
【００９６】
本発明の別の構成を有するコントロールケーブルの締結部材は、外周に第一係止歯をもつ筒状の係止部を有するチューブ状のコントロールケーブルの該係止部が挿入される挿入孔と、該挿入孔の奥側で該挿入孔と交差する窓孔と、一方のロック部と、を有する締結本体と、前記窓孔に収納され、かつ前記第一係止歯と係止する第二係止歯と、該一方のロック部と係止する他方のロック部と、を有するキー部材と、を有するコントロールケーブルの締結部材であって、前記キー部材は、前記第二係止歯を持つ挿入端部と、該挿入端部に対して揺動することにより挿入方向の長さが短縮される操作端部と、からなることを特徴とする。
【００９７】
キー部材は、操作端部が挿入端部に対して揺動することにより挿入方向の長さが短縮されるので、コンパクトな締結部材となる。そのため、コントロールケーブルの締結部材を組み付ける際には、狭い場所でも設置でき、また、狭いスペースでも作業ができるので作業性が向上する。
【００９８】
さらに、前記締結本体および前記キー部材は、該キー部材を前記窓孔に仮止めする保持部を有するのが望ましい。保持部を有することにより、誤操作による仮止めの解除を、別部材を用いることなく防止できる。
【図面の簡単な説明】
【図１】実施例１のコントロールケーブルの締結部材の全体構成を示した斜視図である。
【図２】実施例１および２のコントロールケーブルの締結部材で用いられるコントロールケーブルの断面図である。
【図３】実施例１のコントロールケーブルの締結部材の締結本体の斜視図である。
【図４】実施例１のコントロールケーブルの締結部材の締結本体の断面図であって、軸方向の断面図である。
【図５】実施例１のコントロールケーブルの締結部材の締結本体の断面図であって、軸芯方向の断面図である。
【図６】実施例１のコントロールケーブルの締結部材のキー部材の斜視図である。
【図７】実施例１のコントロールケーブルの締結部材のキー部材の断面図であって、軸方向の断面図である。
【図８】実施例１のコントロールケーブルの締結部材のキー部材の断面図であって、軸芯方向の断面図である。
【図９】実施例１のコントロールケーブルの締結部材の斜視図であって、仮止めの状態を示す。
【図１０】実施例１のコントロールケーブルの締結部材の斜視図であって、ロックの状態を示す。
【図１１】実施例２のコントロールケーブルの締結部材の締結本体の斜視図である。
【図１２】実施例２のコントロールケーブルの締結部材の締結本体の断面図であって、軸方向の断面図である。
【図１３】実施例２のコントロールケーブルの締結部材の締結本体の断面図であって、軸芯方向の断面図である。
【図１４】実施例２のコントロールケーブルの締結部材のキー部材の斜視図である。
【図１５】実施例２のコントロールケーブルの締結部材の斜視図であって、仮止めの状態を示す。
【図１６】実施例２のコントロールケーブルの締結部材の斜視図であって、締結本体にキー部材を挿入した状態（仮止めまたはロックが解除された状態）を示す。
【図１７】実施例２のコントロールケーブルの締結部材の斜視図であって、ロックの状態を示す。
【符号の説明】
１：コントロールケーブルの締結部材
１０：コントロールケーブル
１３：係止部
１３３：第一係止歯
２０，４０：締結本体
２１，４１：挿入孔
２２，４４：窓孔
３０，５０：キー部材
３１１，５１３：第二係止歯
３６３：操作部
５１：挿入端部
５６：操作端部
【図１】
2004353700.tif 000003
【図２】
2004353700.tif 000004
【図３】
2004353700.tif 000005
【図４】
2004353700.tif 000006
【図５】
2004353700.tif 000007
【図６】
2004353700.tif 000008
【図７】
2004353700.tif 000009
【図８】
2004353700.tif 000010
【図９】
2004353700.tif 000011
【図１０】
2004353700.tif 000012
【図１１】
2004353700.tif 000013
【図１２】
2004353700.tif 000014
【図１３】
2004353700.tif 000015
【図１４】
2004353700.tif 000016
【図１５】
2004353700.tif 000017
【図１６】
2004353700.tif 000018
【図１７】
2004353700.tif 000019